(57)【要約】【課題】ストッパが破損することなく、吊り下げたフック棒が容易に外れて落下することがないようなフック棒の掛止具を提供する。【解決手段】掛止具４は、プレート部４０の第１面部４００に突成され、フック部３１の第１部分３１０が掛止する被掛止凹部を備えた第１要素４１と、プレート部４０の第１面部４００に、第１要素４１の被掛止凹部の斜め下方に位置して突成された第２要素４２とを備え、第１要素４１の側面は、上側部分４１３と下側部分（第１被当接部）４１４を備えており、第２要素４２の側面は、下側部分４１４と略同じ高さに位置して当該下側部分に離間対向する上側部分（第２被当接部）４２２０を備えており、第１被当接部と第２被当接部の間には傾斜状に延びる溝部Ｇが形成され、溝部Ｇには、掛止状態にあるフック棒３のフック部３１の第２部分３１１が受け入れられる。【選択図】図３
2019190492.tif 000002
【特許請求の範囲】
【請求項１】
棒状部の先端にフック部を備えたフック棒の掛止具であって、
前記フック部は、掛止部としての第１部分と、第１部分に対して鋭角で、棒状部の長さ方向に対して傾斜状に延び、棒状部の先端に接続された第２部分とを有し、
前記掛止具は、
第１面部と第２面部とを備え、第２面部を介して垂直姿勢で取り付けられるプレート部と、
プレート部の第１面部に突成され、フック部の第１部分が掛止する被掛止凹部を備えた第１要素と、
プレート部の第１面部に、前記第１要素の被掛止凹部の斜め下方に位置して突成された第２要素と、
を備え、
前記第１要素の側面は、上側部分と傾斜状の下側部分を備えており、前記下側部分が第１被当接部となっており、
前記第２要素の側面は、前記第１要素の側面の下側部分と略同じ高さに位置して当該下側部分に離間対向する部分を備えており、前記部分が第２被当接部となっており、
前記第１被当接部と前記第２被当接部の間には傾斜状に延びる溝部が形成され、前記溝部には、掛止状態にあるフック棒のフック部の第２部分が受け入れられるようになっており、
外力の作用による掛止状態にあるフック棒の傾動及び上動は、前記第１被当接部あるいは／および第２被当接部にフック部の第２部分あるいは／および棒状部の先端が当接することによって規制される、
フック棒の掛止具。
【請求項２】
前記第１要素の傾斜状の第１被当接部は、緩やかな凹状面に形成されている、請求項１に記載のフック棒の掛止具。  
【請求項３】
前記第２要素の第２被当接部は、上方に向かってプレート部の側縁に近づくように延びる弧状面である、請求項１、２いずれか１項に記載のフック棒の掛止具。
【請求項４】
フック棒の掛止状態において、前記フック部の前記第２部分が前記第２要素の第２被当接部に当接し、前記フック部の前記第２部分と前記第１要素の第１被当接部との間にクリアランスが形成されるようになっている、請求項１〜３いずれか１項に記載のフック棒の掛止具。
【発明の詳細な説明】
【技術分野】
【０００１】
本発明は、建物開口部を開閉する開閉体（典型的には、シャッターカーテン）を手動操作するためのフック棒の掛止具に関するものである。
【背景技術】
【０００２】
手動式シャッター装置において、全開姿勢にあるシャッターカーテンを引き降ろして降下させる際に、先端にフック部を備えたフック棒を用いる場合がある。このフック棒は、不使用時には、建物開口部近傍に場所を決めて格納しておくことが望ましい。そうすることで、フック棒の紛失を防止し、また、誰でもフック棒を用いて引き降ろし操作を行うことができる。
【０００３】
特許文献１には、不使用時にフック棒の格納を目的としたフック棒の止め具が記載されているが、フック棒を止め具に掛止させた状態（特許文献１の図３参照）では、フック部の湾曲部がストッパ部に接触し、フック部の基端部位が小フック部に接触しており、フック棒は緊密に止め具に掛止されており、フック棒を引っ掛けたり、取り外したりする際の作業性が悪くなるおそれがある。一方、作業性を向上させるために、フック部とストッパ部、小フック部との間に所望のクリアランスを設けると、フック棒が左右に揺れて安定性が悪くなり、フック部の掛止状態が外れて、フック棒が落下してしまうおそれがある。
【０００４】
これに対して、本出願人は、特許文献２において、吊り下げたフック棒が容易に外れて落下することがないようなフック棒の掛止具を提案している。提案した掛止具では、被掛止部の下方に中央ストッパと左右の側方ストッパを設け、いずれかの側方ストッパと中央ストッパとの間の溝部にフック棒の棒状部の先端部位を受け入れることで、吊り下げたフック棒が左右に揺れることを防止すると共に、溝部の上方に位置して設けた被当接部にフック部の付け根が当たることで、フック棒が下から突き上げられてもフック部が被掛止部から簡単に外れることがないようにしている（特許文献２の図７参照）。
【０００５】
しかしながら、特許文献２のフック棒の掛止具では、フック棒の柄部の垂直状の上端部位が中央ストッパと側方ストッパとの垂直状の当接面間に挟まれて固定されるため、掛止具から吊り下げられたフック棒（それ相応の長尺部材である）の下方部位に意図しない左右方向の力が作用した場合には、フック棒の柄部の上端部位がストッパの垂直面に当接して、当該ストッパに側方から力が作用してストッパが破損するおそれがあった。
【特許文献１】特開２００４−１９０２４６
【特許文献２】特開２０１７−１１５９３３
【発明の開示】
【発明が解決しようとする課題】
【０００６】
本発明は、ストッパを備えたフック棒の掛止具において、ストッパの破損を可及的に防止することができるものでありながら、吊り下げたフック棒が容易に外れて落下することがないようなフック棒の掛止具を提供することを目的とするものである。
【課題を解決するための手段】
【０００７】
本発明が採用した技術手段は、
棒状部の先端にフック部を備えたフック棒の掛止具であって、
前記フック部は、掛止部としての第１部分と、第１部分に対して鋭角で、棒状部の長さ方向に対して傾斜状に延び、棒状部の先端に接続された第２部分とを有し、
前記掛止具は、
第１面部と第２面部とを備え、第２面部を介して垂直姿勢で取り付けられるプレート部と、
プレート部の第１面部に突成され、フック部の第１部分が掛止する被掛止凹部を備えた第１要素と、
プレート部の第１面部に、前記第１要素の被掛止凹部の斜め下方に位置して突成された第２要素と、
を備え、
前記第１要素の側面は、上側部分と傾斜状の下側部分を備えており、前記下側部分が第１被当接部となっており、
前記第２要素の側面は、前記第１要素の側面の下側部分と略同じ高さに位置して当該下側部分に離間対向する部分を備えており、前記部分が第２被当接部となっており、
前記第１被当接部と前記第２被当接部の間には傾斜状に延びる溝部が形成され、前記溝部には、掛止状態にあるフック棒のフック部の第２部分が受け入れられるようになっており、
外力の作用による掛止状態にあるフック棒の傾動及び上動は、前記第１被当接部あるいは／および第２被当接部にフック部の第２部分あるいは／および棒状部の先端が当接することによって規制される、
フック棒の掛止具、である。
【０００８】
掛止状態にあるフック棒が傾動ないし上動し、前記第１被当接部あるいは／および第２被当接部にフック部の第２部分あるいは／および棒状部の先端が当接した状態において、フック部の第１部分の少なくとも部分は、前記被掛止凹部内に位置している。
後述する実施形態では、被掛止凹部内にフック部の第１部分が水平姿勢で掛止されており、フック棒が上動した状態において、フック部の第１部分の下側部位が、被掛止凹部の前片の上縁よりも下方に位置している。
【０００９】
１つの態様では、前記溝部は、フック棒のフック部の第２部分をクリアランス（遊び）を持って受け入れるような寸法を備えている。
１つの態様では、前記フック部は、第１部分と第２部分を接続する第３部分を備えており、フック棒が掛止状態にある時に、第３部分と前記第１要素の側面の上側部分は離間している。
１つの態様では、前記第３部分は湾曲状に形成されている。
１つの態様では、フック部の第２部分は、緩やかに湾曲している。
【００１０】
１つの態様では、前記第１要素の傾斜状の第１被当接部は、緩やかな凹状面に形成されている。
１つの態様では、前記第１被当接部の凹状面は、前記第２部分（内側部位）の湾曲に沿う形状となっている。
【００１１】
１つの態様では、前記第２要素の第２被当接部は、上方に向かってプレート部の側縁に近づくように延びる弧状面である。
１つの態様では、フック棒の掛止状態において、フック棒の掛止状態において、前記フック部の前記第２部分（外側部位）が前記第２要素の第２被当接部に当接し、前記フック部の前記第２部分（内側部位）と前記第１要素の第１被当接部との間にクリアランスが形成されるようになっている。
【発明の効果】
【００１２】
本発明によれば、掛止状態にあるフック棒のフック部の第２部分を、第１要素の側面の下側部分と第２要素の側面の上側部分との間に形成された傾斜状の溝部に受け入れるようにし、外力の作用による掛止状態にあるフック棒の傾動及び上動を、前記第１被当接部あるいは／および第２被当接部にフック部の第２部分あるいは／および棒状部の先端が当接することによって規制するようにしたので、フック棒の掛止状態が外れてフック棒が抜け落ちてしまうようなことがない。
掛止状態にあるフック棒のフック部の第２部分は傾斜状に延びており、フック棒の傾動時には、この傾斜状の第２部分が傾斜状に延びる溝部を形成する第１被当接部あるいは第２被当接部に当接するので、第１要素ないし第２要素にフック棒の長さ方向に直交する方向に真横から力が作用することがなく、特許文献２に示すようなフック棒の掛止具に比べて、ストッパ（第１要素、第２要素）の破損を可及的に防止することができる。
【図面の簡単な説明】
【００１３】
【図１】全閉姿勢にあるシャッター装置の正面図であり、壁面に設けた掛止具にはフック棒が掛止されている。
【図２】フック棒の通常の掛止状態を示す図であり、左図は正面図、右図は側面図である。
【図３】掛止具に掛止されたフック棒のフック部の拡大正面図である。
【図４】フック棒の掛止具を示す図であり、上図は正面図、下図は底面図である。
【図５】上図はフック棒の掛止具の側面図、下図は上図の部分拡大図であって、内部構造を点線で示している。
【図６】図２左図の状態からフック棒が揺動して左側に傾いた状態を示す図である。
【図７】図６の状態からフック棒が上動した状態を示す図である。
【発明を実施するための形態】
【００１４】
本発明の実施形態を図面に基づいて説明する。図１は、建物開口部を開閉する開閉体として例示する手動式シャッター装置の全閉状態を示す正面図である。手動式シャッター装置は、建物開口部を開閉するシャッターカーテン１を備え、シャッターカーテン１の幅方向両端部が、建物開口部の幅方向両端に立設された左右のガイドレール２の溝部に案内されて昇降することで、建物開口部を開閉する。
【００１５】
シャッターカーテン１の上端は、建物開口部の上方に配置されたシャッターケース１０内に設けた巻取シャフト（図示せず）に連結されており、巻取シャフトの正逆回転によってシャッターカーテン１が昇降して建物開口部を開閉する。巻取シャフトは、バランススプリングによってシャッターカーテン１を巻き取る方向に付勢されており、全開姿勢にあるシャッターカーテン１に、当該シャッターカーテン１を下降させる力を作用させて降下を始動させると、シャッターカーテン１が自重で降下して床面に着床して全閉姿勢となり、全閉姿勢にあるシャッターカーテン１に、当該シャッターカーテン１を上昇させる力を作用させて上昇を始動させると、バランススプリングの付勢力によってシャッターカーテン１が巻き取られながら上昇して全開姿勢となる。
【００１６】
シャッターカーテン１が巻取シャフトに巻き取られて全開姿勢にある時には、シャッターカーテン１の下端は天井に近い位置にあるため、一般的な開口高の場合、シャッターカーテン下端は、手の届かない高さに位置することになる。そこで、巻取シャフトに巻装されて全開姿勢にあるシャッターカーテン１の下端にフック棒３を掛止し、フック棒３を用いてシャッターカーテン１を引き降ろすことが行われる。なお、本発明に係るフック棒３が用いられる場面は、シャッターカーテン１の引き降ろしに限定されるものではなく、シャッター以外の扉体の開閉に用いてもよい。
【００１７】
図２に示すように、フック棒３は、長尺状の棒状部３０と、棒状部３０の先端側（図示の姿勢では上端側）に設けたフック部３１と、棒状部３０の基端側（下端側）に設けた取手３２と、からなる。フック部３１は、第１部分３１０と、第２部分３１１と、第３部分３１２と、からなる。第１部分３１０は棒状部３０の長さ方向に対して直角方向に延びる掛止部を形成しており、第２部分３１１は基端側（下端側）が棒状部３０の先端（上端）に接続されていて、棒状部３０の長さ方向に対して傾斜状に延びており、第３部分３１２は、第１部分３１０の基端側と第２部分３１１の先端側（上端側）を一体的に接続する湾曲状の部分である。第１部分３１０と第２部分３１１とで形成する角度は９０度未満の鋭角である。
【００１８】
棒状部３０の先端部位（上端部位）は小径部３３となっており、小径部３３には、フック部３１の第２部分３１１の基端側（下端側）が接続されている。本実施形態では、フック部３１の第２部分３１１の基端側（下端側）は棒状部３０の長さ方向に延びる連結部（図示せず）となっており、当該連結部を棒状部３０の小径部３３に挿入することで、フック部３１の基端（下端）が棒状部３０の先端（上端）に接続されている。棒状部３０の先端部位（小径部３３）には、フック部３１の第１部分３１０が延びる方向に直交して突部３４が突成されており、両側の突部３４によって棒状部３０の直径よりも大きい幅広部が形成されている。
【００１９】
本実施形態では、棒状部３０は断面円形状であるが、棒状部の断面形状は限定されず、例えば、平板状のシャフトであってもよい。本実施形態では、別部材から形成された棒状部３０とフック部３１を連結してフック棒３を形成しているが、フック部３１と棒状部３０を一体形成してもよい。
【００２０】
建物開口部近傍には、不使用時にフック棒３を引っ掛けて収納するための掛止具４が設けてある。本実施形態では、図１に示すように、掛止具４は、建物開口部近傍の構造体、本実施形態では壁面Ｗに設けてある。なお、掛止具４を固定する部位は、壁面Ｗに限定されない。
【００２１】
図３〜図５に示すように、掛止具４は、縦長方形状のプレート部４０を備えており、プレート部４０は、図示の垂直姿勢において、第１面部４００と、第２面部４０１と、上縁４０２と、下縁４０３と、左右の側縁４０４と、から規定されている。プレート部４０には、幅方向中央で上下に離間して取付孔４５が形成されており、掛止具４は、第２面部４０１を壁面Ｗに当てて、取付孔４５に螺子を螺入することで、壁面Ｗに固定される。なお、掛止具４の固定手段は螺子を用いるものに限定されない。本実施形態では、掛止具４は樹脂から一体成型されているが、複数の部材を組み立てて形成してもよい。また、掛止具４の材質は樹脂に限定されず、例えば金属製であってもよい。
【００２２】
プレート部４０の第１面部４００には、幅方向中央部位かつ高さ方向ほぼ中央に位置して、フック棒３のフック部３１の第１部分（掛止部）３１０が掛止される被掛止凹部を提供する第１要素４１が突成されている。第１要素４１において、被掛止凹部は、第１要素４１の上側に形成した凹状面４１０と、凹状面４１０の前側に立ち上がり形成された前片４１１とから構成されている。被掛止凹部は、プレート部４０の第１面部４００の幅方向中央部位かつ高さ方向中央より上側寄りに位置して水平状に形成されており、第１要素４１の被掛止凹部に、フック棒３のフック部３１の第１部分３１０が水平姿勢で掛止するようになっている。
【００２３】
第１要素４１は、高さ方向に延びる前面４１２、凹面状の上面、左右の側面、下面４１５を備えたブロックであり、前面４１２は、下方に向かってプレート部４０に近づくように緩やかに傾斜状に延び（上方に向かってプレート部４０から離間するように緩やかに傾斜状に延び）、上端部位が前片４１１となっており、前記凹面状の上面は、凹状面４１０と前片４１１からなる上記被掛止凹部から形成されている。前面４１２の上端縁、すなわち、前片４１１の上端縁は、上側に膨出する湾曲縁となっており、幅方向両端部に対して幅方向中央部位の立ち上がり寸法が大きくなっている。
【００２４】
第１要素４１の側面は、垂直状の上側部分４１３と、正面視傾斜状の下側部分４１４とからなり、左右の下側部分４１４の下端間を接続するように下面４１５が形成されている。第１要素４１の側面の上側部分４１３の上縁は凹状面４１０の断面形状となっており（図５参照）、上側部分４１３は、凹状面４１０から下方に向かって垂直状に延びており、上側部分４１３の下端から下側部分４１４がプレート部４０の中央に向かって下向きに傾斜状に延びている。第１要素４１の左右の側面（上側部分４１３、下側部分４１４）は対称状となっており、本明細書では主として右側の側面について説明するが、同じ説明を左側の側面に援用することができる。
【００２５】
第１要素４１の側面において、右側の下側部分４１４は右側の側縁４０４から離間するように下方に傾斜状に延びており、左側の下側部分４１４は左側の側縁４０４から離間するように下方に傾斜状に延びている。すなわち、第１要素４１の側面の下側部分４１４は、下方に向かってプレート部４の側縁４０４から離間するように延びており、言い換えると、上方に向かってプレート部４の側縁４０４に近づくように延びている。第１要素４１の側面の下側部分４１４は、掛止状態にあるフック棒３のフック部３１の第２部分３１１の内側部位３１１０が当接し得る第１被当接部となっている。図３に示すように、本実施形態では、フック棒３の通常の掛止状態（重力以外の外力が作用しない状態）において、第１要素４１の側面の下側部分４１４とフック棒３のフック部３１の第２部分３１１の内側部位３１１０はクリアランスを存して離間している。
【００２６】
本実施形態では、フック棒３のフック部３１の傾斜状の第２部分３１１の内側部位３１１０は緩やかに上側に膨らむように湾曲しており、第１要素４１の側面の傾斜状の下側部分４１４は緩やかに凹状に湾曲している。フック棒３の掛止状態において、第１要素４１の側面の垂直状の上側部分４１３とフック部３１の湾曲状の第３部分３１２の内側部位３１２０は略同じ高さに位置しているが、これらは離間しており、当接することはない。
【００２７】
プレート部４０の第１面部４００の下方部位には、幅方向左右に位置して第２要素４２がそれぞれ対称状に突成されている。第２要素４２は、第１要素４１の被掛止凹部の斜め下方に位置してプレート部の第１面部４００に突成されている。第２要素４２は、正面視略半円ないし半月状の前面４２０と、垂直状の第１側面４２１と、湾曲状ないし弧状の第２側面４２２と、を備えたブロックであり、第１側面４２１をプレート部４０の側縁４０４に一致させてプレート部４０の第１面部４００に突成されている。
【００２８】
第２要素４２の第２側面４２２は、上側部分４２２０と下側部分４２２１からなる。第２側面４２２の上側部分４２２０は、上方に向かってプレート部４０の側縁４０４に近づくように傾斜状かつ湾曲状（上側に緩やかに膨らむ）に延びる正面視弧状面であり、下側部分４２２１は、下方に向かってプレート部４０の側縁４０４に近づくように傾斜状かつ湾曲状（下側に緩やかに膨らむ）に延びる正面視弧状面である。
【００２９】
第２要素４２の第２側面４２２の上側部分４２２０は、第１要素４１の側面の下側部分４１４と略同じ高さに位置しており、第２要素４２の第２側面４２２の上側部分４２２０は、掛止状態にあるフック棒３のフック部３１の第２部分３１１の外側部位３１１１が当接し得る第２被当接部となっている。
【００３０】
第１要素４１の側面の下側部分４１４と、第２要素４２の第２側面４２２の上側部分４２２０は離間対向しており、第１要素４１の傾斜状の下側部分（第１被当接部）４１４と第２要素４２の第２側面４２２の湾曲状の上側部分（第２被当接部）４２２０との間に傾斜状に延びる溝部Ｇが形成されている。溝部Ｇは、下方に向かってプレート部４の側縁４０４から離間するように傾斜状に延びており、言い換えると、上方に向かってプレート部４の側縁４０４に近づくように傾斜状に延びている。
【００３１】
第１被当接部と第２被当接部によって形成される溝部Ｇは、フック棒３のフック部３１の傾斜状の第２部分３１１を受け入れて、クリアランス（遊び）を有した状態で拘束しており、フック棒３が掛止具４から吊下された状態で、クリアランス（遊び）の範囲内で僅かに傾動可能となっている。溝部Ｇの水平方向の幅寸法は、垂直姿勢にあるフック棒３のフック部３０の第２部分３１１の水平方向の寸法よりも僅かに大きい寸法となっており、フック部３０の第２部分３１１を良好に受け入れると共に、遊び（クリアランス）を越えるフック棒３の傾動を規制する。
【００３２】
本実施形態では、フック棒３の通常の掛止状態において、フック部３１の第２部分３１１の内側部位３１１０が第１要素４１の側面の下側部分４１４に離間対向しており、フック部３１の第２部分３１１の外側部位３１１１が第２要素４２の第２側面４２２の上側部分４２２０に近接ないし接触している。通常の掛止状態にあるフック棒３の右側への傾動は、フック部３１の第２部分３１１の外側部位３１１１が溝部Ｇを形成する第２被当接部（第２要素４２の第２側面４２２の上側部分４２２０）に当接することで規制され、フック棒３の左側への傾動は、クリアランスによって少し左へ傾動したフック部３１の第２部分３１１の内側部位３１１０が溝部Ｇを形成する第１被当接部（第１要素４１の側面の下側部分４１４）に当接することで規制される。なお、溝部Ｇの上側において、第１要素４１の垂直状の上側部分４１３とフック部３１の湾曲状の第３部分３１２の内側部位３１２０は離間しており、第３部分３１２の外側には、第３部分３１２の外側部位３１２１に当接するような要素は一切無い。
【００３３】
第２要素４２の第２側面４２２の下側部分４２２１は、上端が第１要素４１の下面４１５と略同じ高さに位置しており、プレート部４０の側縁４０４に向かう湾曲状の傾斜面は第１要素４１の下面４１５よりも下方に位置しており、掛止状態にあるフック棒３のフック部３１の第２部分３１１の外側部位３１１１が当接することはない。フック棒３の通常の掛止状態では、第２要素４２の第２側面４２２の下側部分４２２１は、フック棒３の棒状部３０（小径部３３）の上端部位と略同じ高さに位置するが、第２要素４２の第２側面４２２の下側部分４２２１の上端と棒状部３０（小径部３３）の上端は離間しており、かつ、第２側面４２２の下側部分４２２１は、上端から下方に向かって、棒状部３０（小径部３３）から離間するように延びている。例えば、図３の状態から、フック棒３が右側に傾動しようとしても、フック部３１の第２部分３１１の外側部位３１１１が第２要素４２の第２側面４２２の上側部分（第２被当接部）４２２０に当接するので、フック棒３の棒状部３０（小径部３３）が第２要素４２の第２側面４２２に側方から当接することがない。
【００３４】
第２要素４２の第２側面４２２の下側部分４２２１の形状や寸法は図示の態様に限定されるものではなく、また、第２要素４２を第２側面４２２の上側部分４２２０を備えた上側部分のみから形成してもよい。図示の態様では、第２要素４２の下端（第２側面４２２の下側部分４２２１の下端）の高さ位置は、プレート部４０の下縁４０３よりも所定距離だけ上側に位置しているが、これには限定されない。
【００３５】
フック棒３を掛止具４に掛止させた状態を図２、図３に示す。掛止状態において、フック棒３のフック部３１の第１部分３１０が、掛止具４の第１要素４１の被掛止凹部に受け入れられている。被掛止凹部の深さは、フック部３１の第１部分３１０の直径よりも大きく、前片４１１の上縁は、水平姿勢にある第１部分３１０の上端面よりも上方に位置している。フック棒３のフック部３１の第１部分３１０が掛止する第１要素４１の被掛止凹部（凹状面４１０）は、プレート部４０の第１面部４００から離間して持ち出した位置にあり、フック棒３は、垂直状の第１面部４００に対して離間して吊り下げられる。第１要素４１の側面のプレート部４０の第１面部４００からの立ち上がり寸法（突出寸法）は、下側部分４１４が、プレート部４０の第１面部４００に対して離間して垂下するフック棒３のフック部３１の第２部分３１１に対向するような寸法となっている。第２要素４２の第２側面４２２のプレート部４０の第１面部４００からの立ち上がり寸法（突出寸法）は、上側部分４２２０が、プレート部４０の第１面部４００から離間して垂下するフック棒３のフック部３１の第２部分３１１に対向するような寸法となっている。
【００３６】
フック棒３を掛止具４に引っ掛ける場合には、フック棒３のフック部３１の第１部分３１０を掛止具４の被掛止凹部に掛止させて、フック部３１の第２部分３１１を溝部Ｇに正面から嵌め込めばよいので、装着が容易である。溝部Ｇは、フック部３１の第２部分３１１を、クリアランスを有して受け入れるような寸法を備えている点に留意されたい。
【００３７】
図示の態様では、図２、図３に示すように、フック棒３のフック部３１の第１部分３１０を掛止具４の第１要素４１の被掛止凹部に掛止し、フック棒３を吊り下げた通常の掛止状態において、フック部３１の第２部分３１１の内側部位３１１０は、第１要素４１の側面の下側部分４１４にクリアランスを介して近接しており、フック部３１の第２部分３１１の外側部位３１１１は、第２要素４２の第２側面４２２の上側部分４２２０に接触している。すなわち、本実施形態では、フック棒３の通常の掛止状態において、フック部３０の第１部分３１０が掛止具４の第１要素４１の被掛止部に掛止されており、フック部３０の第２部分３１１の外側部位３１１１が第２要素４２の第２側面４２２の上側部分４２２０に接触しており、フック棒３のフック部３０は２箇所で掛止具４に当接している。本実施形態では、フック棒３の通常の掛止状態において、フック棒３の棒状部３０は垂下しているが、通常の掛止状態において、フック棒３の棒状部３０が僅かに傾いていてもよい。
【００３８】
図２の掛止状態において、フック棒３を左右方向に傾動（揺動）させる力が作用した場合に、フック棒３を右側に傾ける力が作用した場合には、フック部３１の第２部分３１１の外側部位３１１１が第２要素４２の第２側面４２２の上側部分４２２０に当接することで、さらなる揺動は規制される。フック棒３を左側に傾ける力が作用した場合には、フック部３１の第２部分３１１の内側部位３１１０が第１要素４１の側面の下側部分４１４に当接することで、さらなる揺動は規制される（図６参照）。フック棒３のフック部３１の第１部分３１０と掛止具４の第１要素４１の被掛止凹部との掛止状態は維持されている。
【００３９】
図６の状態において、フック棒３にフック部３１を上動させる力が作用すると、フック部３１の第２部分３１１の内側部位３１１０と第１要素４１の側面の下側部分４１４との当接（第１被当接部における被当接部位が上側に少し移動する）が維持されると共に、フック棒３の棒状部３０（小径部３３）の先端が第２要素４２の第２側面４２２の上側部分４２２０の下端部位に当接することで、さらなる上動が規制される（図７）。
【００４０】
図７の状態では、フック棒３のフック部３１が上方に移動しているが、図７に示すように、フック部３１の第２部分３１１の内側部位３１１０と第１要素４１の側面の下側部分４１４とが当接し、フック棒３の棒状部３０（小径部３３）の先端と第２要素４２の第２側面４２２の上側部分４２２０の下端部位とが当接した状態では、水平姿勢にある第１部分３１０の上縁は、前片４１１の上縁よりも上側に位置するものの、第１部分３１０の下半部は前片４１１の上縁よりも下方に位置しており、フック部３１の第１部分３１０が被掛止凹部から外れてフック棒３が落下するようなことがない。
【００４１】
図４に示すように、掛止具４の各要素は左右対称となっている。具体的には、第１要素４１はプレート部４０の幅方向中央に形成されており、左右対称の形状を備えている。第２要素４２、溝部Ｇは、プレート部４０に左右対称に形成されている。図２、図３、図６、図７では、掛止具４の右半部位を用いてフック棒３を掛止しているが、掛止具４の左半部位を用いて逆向きのフック棒３を掛止できることが当業者に理解される。
【符号の説明】
【００４２】
１  シャッターカーテン
２  ガイドレール
３  フック棒
３０  棒状部
３１  フック部
３１０  第１部分
３１１  第２部分
３１２  第３部分
４  掛止具
４０  プレート部
４００  第１面部
４０１  第２面部
４１  第１要素
４１０  凹状面
４１１  前片
４１３  上側部分
４１４  下側部分（第１被当接部）
４２  第２要素
４２２  第２側面
４２２０  上側部分（第２被当接部）
Ｇ  溝部
【図１】
2019190492.tif 000003
【図２】
2019190492.tif 000004
【図３】
2019190492.tif 000005
【図４】
2019190492.tif 000006
【図５】
2019190492.tif 000007
【図６】
2019190492.tif 000008
【図７】
2019190492.tif 000009